(57)【要約】【課題】オイル吸入口からの空気吸入防止構造と、オイルに混入している異物を吸着するマグネットとを簡易な構造により一体化する。【解決手段】オイルパン２の底面２ａに対面した磁性体からなる上部壁３と、上部壁３よりオイルパン２の底面２ａに向って延出したオイル吸入筒４と、オイル吸入筒４の外周側に間隔をおいて配置され、且つ上端部５ａが上部壁３に吸着された筒状マグネット５と、を備える。【選択図】図１
2008280910.tif 000002
【特許請求の範囲】
【請求項１】
オイルパンの底面に対面した磁性体からなる上部壁と、
前記上部壁よりオイルパンの底面に向って延出したオイル吸入筒と、
前記オイル吸入筒の外周側に間隔をおいて配置され、且つ上端部が前記上部壁に吸着された筒状マグネットと、
を備えることを特徴とするオイル貯留装置。
【請求項２】
前記上部壁は、オイルストレーナの外殻下面で構成されていることを特徴とする請求項１に記載のオイル貯留装置。
【請求項３】
磁性体からなるオイルパンと、
前記オイルパンの底面に向って延出したオイル吸入筒と、
前記オイル吸入筒の外周側に間隔をおいて配置され、且つ下端部が前記オイルパンに吸着された筒状マグネットと、
を備えることを特徴とするオイル貯留装置。
【発明の詳細な説明】
【技術分野】
【０００１】
本発明は、車両の急加減速、急旋回、坂路走行などによって、オイルパンに貯留しているオイルが、一方へ片寄った場合に、オイルパン内に配設されているオイル吸入口から空気が吸入されることを防止したオイル貯留装置に関する。
【背景技術】
【０００２】
自動車等の車両の自動変速機、エンジンなどの底部には、これらの潤滑に使用されるオイルを貯留するオイルパンが設けられている。このオイルパンに貯留されているオイルは、オイルパン内に配設されているオイル吸入口からオイルストレーナを介してオイルポンプによって吸上げられる。オイルポンプによって、例えば自動変速機の底部のオイルパンから吸上げられたオイルは、自動変速機構の潤滑必要部位、自動変速機構の油圧制御バルブを備えたバルブボデーなどへ供給された後、オイルパンへ還流される。
【０００３】
オイルの供給は、適正な油圧にて途絶えることなく行われる必要があることから、オイル吸入口から空気が吸込まれることは望ましくない。したがって、オイルパン内では、オイル吸入口が、常にオイル中に没入された状態を維持する必要がある。
【０００４】
オイルパンに貯留されているオイルは、車両が停止中あるいは等速走行中のときは、油面は水平状態で安定している。しかし、車両の急加減速、急旋回などによって、オイルパン内のオイルは、一方へ片寄り、オイル吸入口がオイルの油面から露出し、オイル吸入口から空気が吸入されてしまうおそれがある。
【０００５】
このような問題を防止するため先行技術として、特許文献１〜４に開示されている技術がある。
【０００６】
特許文献１には、オイルパン内のオイルの流動に追従揺動するオイル吸入口が開示されている。このオイル吸入口は、半球面状の可動吸入部材に設けられており、オイルパン内でオイルが一方へ片寄って流動すると、そのオイルの流動に追従して揺動し、オイル吸入口をオイル中に没入した状態を維持するというものである。
【０００７】
特許文献２には、オイルパン内に２枚の仕切板を設け、その間にオイル吸入口が配置された構成が開示されている。２枚の仕切板は、クランク軸の軸線と交差する方向に延びており、クランク軸の方向へ車両が傾斜した場合におけるオイルの動揺をその仕切板によって抑制し、オイル吸入口からの空気の吸込みを防止するというものである。
【０００８】
特許文献３には、オイルパンの底面に可倒式バルブシートが固設された構成が開示されている。この可倒式バルブシートは、複数枚の可倒部材が円錐台状に配列されてなるものである。車両の急加減速あるいは急旋回によりオイルパンに貯留されているオイルが一方へ流れて片寄ると、流れの上流側に配設されている可倒部材が底面方向へ傾倒する。一方、流れの下流側に配設されている可倒部材がオイルの流れを受けて起立する。可倒部材が起立すると、その可倒部材によりオイルの流れが堰き止められて、可倒式バルブシート内にオイルが保持される。その結果、可倒式バルブシート内に配設されたオイル吸入口がオイル中に没入した状態が維持され、空気の吸込みが防止されるというものである。
【０００９】
特許文献４には、オイルパン内において、下方に延出したオイル吸入口の周囲に、同じく下方に延出したガード壁が設けられた構造が開示されている。車両の急加減速などによりオイルパンに貯留されているオイルが一方へ流れて片寄った際に、ガード壁は、オイル吸入口から空気が吸入されることを防止する堰としての役割を果たすというものである。
【００１０】
ところで、オイルパンには、通常、鉄系異物を吸着補足するマグネットが設けられている。異物がオイルに混在していると、オイル供給先が異常磨耗等を引き起こす原因となるからである。
【００１１】
例えば特許文献１では、可動吸入部材のオイル吸入口の外周縁に環状に形成されたマグネットが固設されている。また、特許文献４では、ドレンボルト内にマグネットが固設されている。
【特許文献１】特開２００２−１８０８１４
【特許文献２】実開平５−５００１２
【特許文献３】特開２００２−１８１１７０
【特許文献４】特開２００５−９３４６
【発明の開示】
【発明が解決しようとする課題】
【００１２】
オイル吸入口から空気が吸入されることを防止する構造と、オイルパン内へ配置される異物吸着用マグネットとは、何れもオイルの潤滑系にとって重要なものであり、大部分の車種がこれらを具備している。したがって、これらを簡易な構造により一体化できれば、広範な車種に及んで、部品点数の削減、コストダウン化が図られる。しかしながら、そのような技術は未だに提案されていなかった。
【００１３】
特許文献１には、オイル吸入口からの空気吸入防止構造と、マグネットとを組み合わせた技術が開示されているが、これらは、簡易な構造により一体化されたものとはいえない。すなわち、特許文献１に開示されている構造は複雑であり、可動吸入部材に高度な精密加工が要求される。このため、可動吸入部材の製造コストが高価になる。
【００１４】
本発明は、上記問題に鑑みてなされたものであり、オイル吸入口からの空気吸入防止構造と、オイルに混入している異物を吸着するマグネットとを簡易な構造により一体化することにより、部品点数を減少させ、コストダウンを図ることを可能にしたオイル貯留装置を提供することを目的とする。
【課題を解決するための手段】
【００１５】
上述の課題を解決するための手段として、本発明のオイル貯留装置は、以下のように構成されている。すなわち、本発明のオイル貯留装置は、オイルパンの底面に対面した磁性体からなる上部壁と、前記上部壁よりオイルパンの底面に向って延出したオイル吸入筒と、前記オイル吸入筒の外周側に間隔をおいて配置され、且つ上端部が前記上部壁に吸着された筒状マグネットと、を備えるものである。
【００１６】
かかる構成によれば、オイル吸入筒からオイルパン内のオイルが吸い上げられる際に、オイルパン内のオイルは、オイル吸入筒下端のオイル吸入口に向って、筒状マグネットの下端部とオイルパンの底面との隙間を通過する。このとき、オイルに混入している鉄系異物と筒状マグネットとが近接するため、当該鉄系異物を効率的に吸着補足することができる。
【００１７】
また、車両の急加減速、急旋回などによって、オイルパン内に貯留されているオイルが一時的に一方へ片寄った場合であっても、筒状マグネット内には、オイルが堰き止められて残るので、筒状マグネット内の油面の低下が防止ないしは抑制される。その結果、オイル吸入筒下端のオイル吸入口がオイル中に没入された状態が維持され、オイル吸入口からの空気吸入が防止される。
【００１８】
また、車両が急勾配路面を走行中に、オイルパン内に貯留されているオイルが、しばらくの間、一方へ片寄った場合であっても、筒状マグネットがその内筒側のオイル吸入筒への空気の流入を阻止する堰となる。その結果、オイル吸入筒下端のオイル吸入口は、オイル中に没入された状態を維持することができ、オイル吸入口からの空気吸入が防止される。
【００１９】
また、上記構成は、オイル吸入口からの空気吸入防止構造と、異物吸着用マグネットとを簡易な構造により一体化したものであるから、上記構成の採用により、オイル貯留装置おける部品点数の減少、コストダウン化が図られる。
【００２０】
なお、上記構成において、前記上部壁はオイルストレーナの外殻下面で構成されていてもよい。
【００２１】
この場合、上部壁を別途設ける必要がなくなり、部品点数を１点削減することが可能となる。
【００２２】
また、本発明のオイル貯留装置は、以下のように構成されていてもよい。すなわち、本発明のオイル貯留装置は、磁性体からなるオイルパンと、前記オイルパンの底面に向って延出したオイル吸入筒と、前記オイル吸入筒の外周側に間隔をおいて配置され、且つ下端部が前記オイルパンに吸着された筒状マグネットと、を備えるものである。
【００２３】
かかる構成によれば、オイル吸入筒からオイルパン内のオイルが吸い上げられる際に、オイルパン内のオイルは、オイル吸入筒に向って、筒状マグネットの上端部と筒状マグネットの内周面近傍を通過する。このとき、オイルに混入している鉄系異物と筒状マグネットとが近接するため、当該鉄系異物を効率的に吸着補足することができる。
【００２４】
また、車両の急加減速、急旋回などによって、オイルパン内に貯留されているオイルが一時的に一方へ片寄った場合であっても、筒状マグネット内には、オイルが堰き止められて残るので、筒状マグネット内の油面の低下が抑制される。その結果、オイル吸入筒下端のオイル吸入口がオイル中に没入された状態が維持され、オイル吸入口からの空気吸入が防止される。
【００２５】
また、車両が急勾配路面を走行中に、オイルパン内に貯留されているオイルが、しばらくの間、一方へ片寄った場合であっても、筒状マグネット内のオイルは筒状マグネット内に堰き止められて残るので、筒状マグネット内の油面の低下が抑制される。その結果、オイル吸入筒下端のオイル吸入口がオイル中に没入された状態が維持され、オイル吸入口からの空気吸入が防止される。
【００２６】
また、上記構成は、オイル吸入口からの空気吸入防止構造と、異物吸着用マグネットとを簡易な構造により一体化したものであるから、上記構成の採用により、オイル貯留装置おける部品点数の減少、コストダウン化が図られる。
【発明の効果】
【００２７】
本発明に係るオイル貯留装置によれば、オイル吸入口からの空気吸入防止構造と、オイルに混入している異物を吸着するマグネットと、を簡易な構造により一体化することができる。その結果、部品点数の減少、コストダウン化が図られる。
【発明を実施するための最良の形態】
【００２８】
［第１の実施の形態］
＜オイル貯留装置の構成＞
以下、本発明の第１の実施の形態について図面を参照して説明する。図１は、本発明の第１の実施の形態に係るオイル貯留装置１およびその周辺部を示した部分断面図である。
【００２９】
オイル貯留装置１は、オイルパン２、上部壁３、オイル吸入筒４、筒状マグネット５等で構成されている。
【００３０】
オイルパン２は、車両の自動変速機のミッションケース６の底開口部に複数本のボルト７にて締結され、当該底開口部を閉塞するように取り付けられている。本実施の形態ではオイルパン２の材質は、鉄などの磁性体に限定されない。
【００３１】
上部壁３は、オイルストレーナ８の外殻下面８ａで構成されている。この上部壁３は、オイルパン２の底面２ａに対面しており、略水平方向へ広がった平坦部を形成している。また、上部壁３は、磁性体からなり、好ましくは、マグネットに強く吸着される鉄などの強磁性体からなる。なお、上部壁３は、オイルパン２の底面２ａに対面し、且つ、後に詳述する、筒状マグネット５が吸着可能な磁性体であればよく、そのような条件を満たせば、上部壁３がオイルストレーナ８の外殻下面８ａ以外のもので構成されていてもよい。なお、本実施の形態においては、オイルストレーナ８の上方に自動変速機構の油圧制御バルブを備えたバルブボデー１０が配置されている。
【００３２】
オイル吸入筒４は、上部壁３よりオイルパン２の底面に向って下方へ延出した短筒状をしており、その下端部がオイル吸入口４ａになっている。このオイル吸入筒４から吸入されたオイルは、オイルストレーナ８内へ導入されて、ろ過された上でオイルポンプへ吸い上げられる。
【００３３】
筒状マグネット５は、オイル吸入筒４の周囲に間隔をおいて配置され、且つ、その上端部５ａが上部壁３に吸着されている。筒状マグネット５の横断面形状は、円形に限らず、三角形、四角形などの多角形、あるいは楕円などであってもよい。筒状マグネット５の下端位置５ｂとオイルパン２の底面２ａとの間隔は、オイル吸入筒４よりオイルが吸入される際に、オイル吸入筒４へ向うオイルの流れを阻害しない程度に十分に確保されている。
【００３４】
なお、筒状マグネット５の下端位置５ｂとオイル吸入筒４の下端４ａ位置との上下関係は、双方が同程度の上下位置、ないしは筒状マグネット５の下端位置５ｂがオイル吸入筒４の下端位置４ａより下方にあることが望ましい。
【００３５】
＜オイル貯留装置の作用＞
つぎに、オイル貯留装置１の作用について説明する。図外のオイルポンプが稼動すると、オイルパン２内に貯留されているオイルが、オイル吸入筒４から吸い上げられる。同時に、筒状マグネット５の外側にあるオイルは、筒状マグネット５の下端部５ｂとオイルパン２の底面２ａとの隙間を通過するが、その際に、オイルＡに混入している鉄系異物と筒状マグネット５の下端部５ｂとが近接するため、鉄系異物は、効率的に筒状マグネット５に吸着補足される。
【００３６】
オイル吸入筒４から吸入されたオイルは、オイルストレーナ８によって濾過され、筒状マグネット５に吸着されなかった非磁性ないし弱磁性の異物のうち、比較的大きな異物が除去される。
【００３７】
その後、オイルポンプに吸い上げられたオイルは、自動変速機構の潤滑必要部位、バルブボデー１０へ供給された後、図外の帰還油路を通じてオイルパン２へ還流される。
【００３８】
ところで、オイル貯留装置１を搭載した車両が平坦な道路で停車中、あるいは等速走行中のとき、図１に示すように、オイルパン２に貯留されているオイルＡの油面は、水平状態で静止している。このとき、オイル吸入口４ａは、オイルＡ中に没入していることから、オイル吸入口４ａから空気が吸入されることはない。
【００３９】
車両の急加減速、急旋回などによって、オイルパン２内に貯留されているオイルＡが一時的に一方へ片寄った場合であっても、図２に示すように、筒状マグネット５内のオイルＡ１は筒状マグネット５内に堰き止められることから、筒状マグネット５内の油面の低下が防止ないしは抑制される。その結果、オイル吸入口４ａがオイルＡ中に没入された状態が維持され、オイル吸入口４から空気が吸入されることが防止される。もし、筒状マグネット５が設けられていない場合は、図２の２点鎖線で示すように、油面が形成され、オイル吸入口４ａがオイルＡの油面から露出し、オイル吸入口４ａから空気が吸入されてしまう。
【００４０】
また、車両が急勾配路面を等速走行中あるいは急勾配路面に停車中に、オイルパン２内に貯留されているオイルＡが、しばらくの間、一方へ片寄った場合であっても、図３に示すように、筒状マグネット５がその内筒側への空気の流入を阻止する堰となり、筒状マグネット５の下端部５ｂが、オイルＡ中に没入している限り、筒状マグネット５の内筒側に空気が入り込むことはない。その結果、オイル吸入口４ａがオイルＡ中に没入された状態が維持され、オイル吸入口４ａから空気が吸入されることが防止される。もし、筒状マグネット５が設けられていない場合は、図３の２点鎖線で示すように、油面が形成され、オイル吸入口４ａの一部がオイルＡの油面から露出し、オイル吸入口４ａから空気が吸入されてしまう。
【００４１】
なお、本実施の形態に係る筒状マグネット５は、オイル吸入筒４の周囲にオイル吸入筒を包囲するように配置されているので、オイルが片寄る方向が車両の前後左右何れの方向であっても、概ね図２又は図３に示したように、オイルパン２内のオイルＡの油面が形成され、同様に、オイル吸入口４ａからの空気の吸入は防止される。
【００４２】
ところで、図１〜図３に示す実施形態では、筒状マグネット５は、オイル吸入筒４より下方に延出しているが、逆に、オイル吸入筒４が筒状マグネット５より下方へ延出していても一定の効果が得られる。
【００４３】
すなわち、図４に示すように、車両の急加減速、急旋回などによって、オイルパン２内に貯留されているオイルが一時的に一方へ片寄っても、筒状マグネット５内のオイルＡ１の一部は筒状マグネット５内に堰き止められて残ることから、筒状マグネット５内の油面の低下がある程度抑制される。したがって、オイル吸入筒４の下端位置にあるオイル吸入口４ａが十分に低い位置にあれば、オイル吸入口４ａがオイルＡ中に没入された状態が維持され、オイル吸入口４ａから空気が吸入されることが防止される。もし、筒状マグネット５が設けられていない場合は、図４の２点鎖線で示すように、油面が形成され、オイル吸入口４ａがオイルＡの油面から露出し、オイル吸入口４ａから空気が吸入されてしまう。
【００４４】
［第２の実施の形態］
＜オイル貯留装置の構成＞
以下、本発明の第２の実施の形態について図面を参照して説明する。なお、第１の実施の形態における構成と同様の構成については、同一符号を付してその説明を省略する。図５は、本発明の第２の実施の形態に係るオイル貯留装置２０およびその周囲を示した部分断面図である。
【００４５】
第２の実施の形態に係るオイル貯留装置２０は、オイルパン２１、オイル吸入筒４、筒状マグネット２２等で構成されている。
【００４６】
オイルパン２１は、ミッションケース６の底開口部に複数本のボルト７にて締結され、当該底開口部を閉塞するように取り付けられている。このオイルパン２１の底面２１ａは、後述する筒状マグネット２２の下端面２２ｂと密着し易いような形状、例えは平坦面となっている。また、このオイルパン２１は磁性体からなり、マグネットに強く吸着される鉄などの強磁性体であることが望ましい。
【００４７】
筒状マグネット２２は、筒状のマグネットであり、オイル吸入筒４の周囲に間隔をおいて配置され、且つ、その下端部２２ｂがオイルパン２１の底部２１ａに吸着されている。図５に示すように、筒状マグネットの上端部２２ａの上下位置は、オイル吸入口４ａより上位置にあり、且つ、オイル吸入口４ａが筒状マグネット２２の筒内に内包されるように配置されていることが望ましい。筒状マグネット２２の横断面形状は、円形に限らず、三角形、四角形などの多角形、あるいは楕円などであってもよい。
【００４８】
＜オイル貯留装置の作用＞
つぎに、上記オイル貯留装置２０の作用について説明する。図外のオイルポンプが稼動すると、オイルパン２１内に貯留されているオイルが、オイル吸入筒４からオイルパン２１内に吸い上げられる。同時に、筒状マグネット２２の外側にあるオイルが、オイル吸入筒４の下端に形成されているオイル吸入口４ａ側に吸い寄せられる。このときオイルは、筒状マグネット２２の上端部２２ａおよび内周面２２ｃ近傍を通過するが、その際に、オイルＡに混入している鉄系異物と筒状マグネット２２とが近接するため、鉄系異物は、効率的に筒状マグネット２２に吸着補足される。
【００４９】
オイル吸入筒４から吸入されたオイルは、オイルストレーナ８によって濾過され、筒状マグネット２２に吸着しなかった非磁性ないし弱磁性の異物のうち比較的大きな異物が除去される。
【００５０】
オイルポンプに吸い上げられたオイルは、自動変速機構の潤滑必要部位、バルブボデー１０へ供給された後、図外の帰還油路を通じてオイルパン２１へ還流される。
【００５１】
オイル貯留装置２０を搭載した車両が平坦な道路上に停車中、あるいは等速走行中、図５に示すように、オイルパン２１に貯留されているオイルＡの油面は、水平状態で静止している。このとき、オイル吸入筒４の下端のオイル吸入口４ａは、オイルＡ中に没入していることから、オイル吸入口４ａから空気が吸入されることはない。
【００５２】
車両の急加減速、急旋回などによって、オイルパン２１内に貯留されているオイルＡが一時的に一方へ片寄った場合であっても、図６に示すように、筒状マグネット２２内のオイルＡ２は筒状マグネット２２内に堰き止められて残るので、筒状マグネット２２内の油面の低下が抑制される。その結果、オイル吸入口４ａがオイルＡ２中に没入された状態が維持され、オイル吸入口４ａから空気が吸入されることが防止される。もし、筒状マグネット２２が設けられていない場合は、図６の２点鎖線で示すように、油面が形成され、オイル吸入口４ａがオイルＡの油面から露出し、オイル吸入口４ａから空気が吸入されてしまう。
【００５３】
また、車両が急勾配路面を走行中であり、オイルパン２１内に貯留されているオイルＡが、しばらくの間、一方へ片寄った場合も、図７に示すように、筒状マグネット２２内のオイルＡ２は筒状マグネット２２内に堰き止められて残るので、筒状マグネット２２内の油面の低下が抑制される。その結果、オイル吸入口４ａがオイルＡ２中に没入された状態が維持され、オイル吸入口４ａから空気が吸入されることが防止される。もし、筒状マグネット２２が設けられていない場合は、図７の２点鎖線で示すように、、油面が形成され、オイル吸入口４ａがオイルＡの油面から露出し、オイル吸入口４ａから空気が吸入されてしまう。
【００５４】
なお、筒状マグネット２２は、オイル吸入筒４の周囲に配置されているので、オイルが片寄る方向が前後左右何れの方向であっても、概ね図６又は図７に示したように、オイルＡの油面が形成され、同様に、オイル吸入口４ａからの空気の吸入は防止される。
【００５５】
以上説明した本発明の第１および第２の実施の形態に係るオイル貯留装置１、２０は、車両の自動変速機の底部に適用したものを例に挙げて説明したが、車両のエンジンの底部のオイル貯留装置に適用することも勿論可能である。
【産業上の利用可能性】
【００５６】
本発明は、車両の自動変速機などの底部に設置されているオイルパン、異物吸着用マグネット、オイル吸入筒などで構成されるオイル貯留装置に適用可能である。
【図面の簡単な説明】
【００５７】
【図１】本発明の第１の実施の形態に係るオイル貯留装置およびその周辺部を示した部分断面図である。
【図２】図１において、車両の急加減速、急旋回などによって、オイルパン内に貯留されているオイルが一時的に一方へ片寄った状態を示した図である。
【図３】図１において、車両が急勾配路面を走行中に、オイルパン内に貯留されているオイルＡが一方へ片寄った状態を示した図である。
【図４】本発明の第１の実施の形態に係るオイル貯留装置において、オイル吸入筒が筒状マグネットより下方へ延出されている場合を示した部分断面図である。
【図５】本発明の第２の実施の形態に係るオイル貯留装置およびその周辺部を示した部分断面図である。
【図６】図５において、車両の急加減速、急旋回などによって、オイルパン内に貯留されているオイルが一時的に一方へ片寄った状態を示した図である。
【図７】図５において、車両が急勾配路面を走行中に、オイルパン内に貯留されているオイルＡが一方へ片寄った状態を示した図である。
【符号の説明】
【００５８】
２、２１  オイルパン
２ａ、２１ａ  オイルパンの底面
３  上部壁
４  オイル吸入筒
５、２２  筒状マグネット
【図１】
2008280910.tif 000003
【図２】
2008280910.tif 000004
【図３】
2008280910.tif 000005
【図４】
2008280910.tif 000006
【図５】
2008280910.tif 000007
【図６】
2008280910.tif 000008
【図７】
2008280910.tif 000009